(57)【要約】【課題】複数の発光モジュールを互いに隣接させて配置したときに、発光モジュール間の隙間の正面方向にも光を出射する。【解決手段】発光モジュール１は、面発光パネル２と、面発光パネルに相対して設けられた光学部材３と、を備える。光学部材３は、面発光パネル２からの光が入射する入射面３１と、入射面３１よりも大きく構成され光が出射する出射面３２と、入射面３１の端部から出射面３２の端部に向かって傾斜して伸びる傾斜面３３と、を有する。また、発光モジュール１は、面発光パネル２及び光学部材３を各々の辺を介して複数互いに隣接させて配置したときに、面発光パネル２と傾斜面３３とにより囲まれた空間Ｒにおいて、辺に沿って設けられ光を出射面３２側に反射する反射材５を更に備える。この構成によれば、反射材５により光が出射面３２側に反射されるので、発光モジュール１間の隙間Ｇの正面方向にも光を出射することができる。【選択図】図３
2016054119.tif 000002
【特許請求の範囲】
【請求項１】
一方の面を発光面とする平板状の面発光パネルと、前記発光面に相対して設けられた平板状の光学部材と、を備えた発光モジュールであって、
前記面発光パネル及び前記光学部材は、平面視において互いに同じ大きさの多角形状に形成され、互いに重ね合わされて配置され、
前記面発光パネルは、前記発光面において光を出射する発光領域と、前記発光領域の周囲にあって光を出射しない非発光領域と、を有し、
前記光学部材は、前記発光領域に相対して設けられ該発光領域からの光が入射する入射面と、前記入射面とは反対側の面を成して該入射面よりも大きく構成され該入射面から入射した光が出射する出射面と、前記入射面の端部から前記出射面の端部に向かって傾斜して形成され前記非発光領域に相対する傾斜面と、を有し、
前記面発光パネル及び前記光学部材を各々の辺を介して複数互いに隣接させて配置したときに、前記面発光パネルと前記傾斜面とにより囲まれた空間において、前記辺に沿って設けられ光を前記出射面側に反射する反射材を更に備えたことを特徴とする発光モジュール。
【請求項２】
前記反射材は、前記空間において前記出射面側に配置されていることを特徴とする請求項１に記載の発光モジュール。
【請求項３】
前記反射材は、前記空間において前記面発光パネル及び前記傾斜面のいずれにも固定されていないことを特徴とする請求項１又は請求項２に記載の発光モジュール。
【請求項４】
前記反射材は、前記空間において一方の前記面発光パネル又は一方の前記傾斜面に固定されていることを特徴とする請求項１又は請求項２に記載の発光モジュール。
【請求項５】
前記反射材は、湾曲可能又は屈曲可能に構成され、前記空間において両方の前記面発光パネル又は両方の前記傾斜面に固定されていることを特徴とする請求項１又は請求項２に記載の発光モジュール。
【請求項６】
前記光学部材は、前記出射面と前記傾斜面との間に設けられ前記面発光パネルに直交する方向に形成された直交面を更に有し、
前記反射材は、前記直交面から出射された光を反射することを特徴とする請求項１乃至請求項５のいずれか一項に記載の発光モジュール。
【請求項７】
前記反射材は、平板状に形成されていることを特徴とする請求項１乃至請求項６のいずれか一項に記載の発光モジュール。
【請求項８】
前記反射材は、湾曲可能又は屈曲可能な材料により湾曲又は屈曲して形成され、前記空間において前記面発光パネル及び前記傾斜面に接していることを特徴とする請求項１乃至請求項６のいずれか一項に記載の発光モジュール。
【請求項９】
前記反射材は、光を拡散する作用も併せ持つことを特徴とする請求項１乃至請求項８のいずれか一項に記載の発光モジュール。
【請求項１０】
前記出射面と平行な面状に形成され該出射面から出射された光の一部を反射する反射部と、
前記反射部及び前記出射面を覆うように設けられ光を拡散する拡散透過部材と、を更に備えたことを特徴とする請求項１乃至請求項９のいずれか一項に記載の発光モジュール。
【請求項１１】
前記反射部は、前記出射面又は前記拡散透過部材において前記出射面に相対する面に設けられていることを特徴とする請求項１０に記載の発光モジュール。
【請求項１２】
前記反射部は、光を反射する塗料をシルク印刷することにより形成され、
前記反射部の単位面積当たりの平均反射率は、前記塗料の印刷密度により調整されることを特徴とする請求項１１に記載の発光モジュール。
【請求項１３】
前記平均反射率は、前記反射部の面方向に沿って変化することを特徴とする請求項１２に記載の発光モジュール。
【請求項１４】
前記平均反射率の変化範囲は、０〜７０％であることを特徴とする請求項１３に記載の発光モジュール。
【請求項１５】
前記反射部は、前記発光領域に対応する領域に設けられ、
前記平均反射率は、前記反射部の中心部に向かうにつれて高くなることを特徴とする請求項１３又は請求項１４に記載の発光モジュール。
【請求項１６】
前記反射部は、前記発光領域に対応する領域に設けられ、
前記平均反射率は、前記反射部の中心部に向かうにつれて低くなることを特徴とする請求項１３又は請求項１４に記載の発光モジュール。
【請求項１７】
前記反射部は、前記非発光領域に対応する領域には設けられていないことを特徴とする請求項１０乃至請求項１６のいずれか一項に記載の発光モジュール。
【請求項１８】
前記面発光パネルと前記入射面とは、透光性樹脂を介して互いに密着又は接着されていることを特徴とする請求項１乃至請求項１７のいずれか一項に記載の発光モジュール。
【請求項１９】
請求項１乃至請求項１８のいずれか一項に記載の発光モジュールを光源として用いたことを特徴とする照明装置。
【発明の詳細な説明】
【技術分野】
【０００１】
本発明は、有機ＥＬ素子を光源とする発光モジュール及びそれを用いた照明装置に関する。
【背景技術】
【０００２】
有機ＥＬ素子は、低電圧で高輝度の発光が可能であり、また、含有する有機化合物の種類によって様々な発光色を与える面発光体である。このような有機ＥＬ素子を光源とする発光装置（発光モジュール）として、矩形平板状の基板と、この基板の中央に設けられた有機ＥＬ素子と、この有機ＥＬ素子の陽極又は陰極と接続された複数の電極パッドと、を備えたものがある（例えば、特許文献１参照）。複数の電極パッドは、有機ＥＬ素子の周囲を取り囲むようにして基板上に設けられている。このような発光モジュールでは、有機ＥＬ素子が設けられた領域が、光を出射する発光領域となり、電極パッドが設けられた領域が、光を出射しない非発光領域となる。
【先行技術文献】
【特許文献】
【０００３】
【特許文献１】特開２０１２−１８２１２９号公報
【発明の概要】
【発明が解決しようとする課題】
【０００４】
上述したような発光モジュールを基板の一辺を介して複数互いに隣接させて配置した場合、発光領域の間に非発光領域が介在することになるので、均一な光照射面を得ることができない。そこで、発光領域及び非発光領域を覆うように光学部材を設け、この光学部材により発光領域からの光を非発光領域の方に導光して、非発光領域の正面方向からも光が照射されるようにすることで、均一な光照射面を得ることが考えられる。
【０００５】
しかしながら、上記のような光学部材を設けた場合でも、有機ＥＬ素子の発光に伴う熱等によって光学部材や基板が熱膨張することを考慮して、各々の発光モジュールの間には所定の隙間を設ける必要がある。このような隙間の正面方向は、光が出射しない暗部となるので、依然として均一な光照射面を得ることができない。
【０００６】
本発明は、上記課題を解決するものであって、有機ＥＬ素子を光源とする発光モジュールにおいて、複数の発光モジュールを互いに隣接させて配置したときに発光モジュール間に設けた隙間の正面方向にも光を出射できる発光モジュールを提供することを目的とする。
【課題を解決するための手段】
【０００７】
本発明の発光モジュールは、一方の面を発光面とする平板状の面発光パネルと、前記発光面に相対して設けられた平板状の光学部材と、を備え、前記面発光パネル及び前記光学部材は、平面視において互いに同じ大きさの多角形状に形成され、互いに重ね合わされて配置され、前記面発光パネルは、前記発光面において光を出射する発光領域と、前記発光領域の周囲にあって光を出射しない非発光領域と、を有し、前記光学部材は、前記発光領域に相対して設けられ該発光領域からの光が入射する入射面と、前記入射面とは反対側の面を成して該入射面よりも大きく構成され該入射面から入射した光が出射する出射面と、前記入射面の端部から前記出射面の端部に向かって傾斜して形成され前記非発光領域に相対する傾斜面と、を有し、前記面発光パネル及び前記光学部材を各々の辺を介して複数互いに隣接させて配置したときに、前記面発光パネルと前記傾斜面とにより囲まれた空間において、前記辺に沿って設けられ光を前記出射面側に反射する反射材を更に備えたことを特徴とする。
【発明の効果】
【０００８】
本発明によれば、面発光パネルと傾斜面とにより囲まれた空間に設けられた反射材が光を出射面側に反射するので、発光モジュール間に設けられた隙間の正面方向にも光を出射することができる。
【図面の簡単な説明】
【０００９】
【図１】本発明の第１の実施形態に係る発光モジュールの分解斜視図。
【図２】上記発光モジュールの断面図及びその一部拡大図。
【図３】上記発光モジュールを構成する面発光パネル及び光学部材を一辺を介して互いに隣接させた状態の発光モジュールを示す斜視図。
【図４】図３に示した発光モジュールの側面図。
【図５】図４の一点鎖線で囲んだ領域の拡大図。
【図６】上記実施形態の変形例に係る発光モジュールの側面図。
【図７】上記実施形態の他の変形例に係る発光モジュールの側面図。
【図８】上記実施形態の別の変形例に係る発光モジュールの側面図及びその一部拡大図。
【図９】上記実施形態の更に別の変形例に係る発光モジュールの斜視図。
【図１０】上記発光モジュールの側面図。
【図１１】上記実施形態の更に別の変形例に係る発光モジュールの斜視図。
【図１２】上記発光モジュールの側面図。
【図１３】本発明の第２の実施形態に係る発光モジュールの分解斜視図。
【図１４】上記発光モジュールの断面図。
【図１５】上記発光モジュールにおける光路を示す図。
【図１６】（ａ）（ｃ）（ｅ）は、上記発光モジュールを構成する光学部材の平面図、（ｂ）（ｄ）（ｆ）は、（ａ）（ｃ）（ｅ）に示した光学部材から出射される光の輝度分布を示す図。
【図１７】上記実施形態の変形例に係る発光モジュールの断面図。
【図１８】上記実施形態の他の変形例に係る発光モジュールの断面図。
【図１９】上記実施形態の別の変形例に係る発光モジュールの断面図。
【発明を実施するための形態】
【００１０】
本発明の第１の実施形態に係る発光モジュールについて図１乃至図５を参照して説明する。本発光モジュールは、照明装置の光源として用いられる。
【００１１】
図１及び図２に示すように、発光モジュール１は、一方の面を発光面２Ａとして平板状に形成された面発光パネル２と、発光面２Ａに相対して設けられ平板状に形成された光学部材３と、を備える。面発光パネル２及び光学部材３は、平面視において互いに同じ大きさの多角形状に形成され、図例では矩形状に形成されている。面発光パネル２及び光学部材３は、面発光パネル２の各辺と光学部材３の各辺とが互いに平行となるようにして、互いに重ね合わされて配置されている。なお、以下の説明では、図例に従って発光面２Ａ側を上側といい、その反対側を下側という。
【００１２】
面発光パネル２は、矩形平板状に形成された透光性の基材２１と、基材２１の下面中央に設けられ矩形状に形成された有機ＥＬ素子２２と、を有する。有機ＥＬ素子２２は、その各辺が基材２１の各辺と平行となるようにして配置されている。また、面発光パネル２は、有機ＥＬ素子２２の陽極及び陰極（不図示）の各々と接続された陽極パッド２３及び陰極パッド２４と、陽極パッド２３及び陰極パッド２４と配電線２５（図２参照）を介して接続された配線基板２６（図２参照）と、を有する。配線基板２６は、有機ＥＬ素子２２の下面側に配置され、商用電源からの電力を配電線２５並びに陽極パッド２３及び陰極パッド２４を介して有機ＥＬ素子２２に供給する。陽極パッド２３及び陰極パッド２４は、基材２１の下面において有機ＥＬ素子２２の周囲を取り囲むようにして交互に配置されている。このように陽極パッド２３及び陰極パッド２４を配置することで、有機ＥＬ素子２２への印加電圧を均一化して、有機ＥＬ素子２２を輝度むらなく発光させることができる。
【００１３】
発光面２Ａにおいて、有機ＥＬ素子２２に対応する領域は、光を出射する発光領域Ｒ１となり、発光領域Ｒ１の周囲にあって陽極パッド２３及び陰極パッド２４に対応する領域は、光を出射しない非発光領域Ｒ２（図１においてドットで示す）となる。
【００１４】
光学部材３は、発光領域Ｒ１からの光が入射する入射面３１と、入射面３１とは反対側の面を成し入射面３１から入射した光が出射する出射面３２と、を有する。入射面３１は、発光領域Ｒ１に相対して設けられ、図例では、発光領域Ｒ１と略同じ大きさの矩形状に形成されている。出射面３２は、入射面３１よりも大きい矩形状に形成されている。構成されている。また、光学部材３は、入射面３１の端部から出射面３２の端部に向かって傾斜して形成された傾斜面３３を有する。傾斜面３３は、非発光領域Ｒ２に相対している。
【００１５】
入射面３１は、透光性樹脂４（図２参照）を介して基材２１（面発光パネル２）と密着又は接着されている。透光性樹脂４は、基材２１を構成する材料又は光学部材３を構成する材料と同じ屈折率を有する材料、若しくはこれら材料の中間の屈折率を有する材料により構成される。このように透光性樹脂４を構成することで、基材２１と透光性樹脂４との界面や透光性樹脂４と光学部材３との界面における全反射を抑制して、光取り出し効率を向上させることができる。
【００１６】
図３及び図４に示すように、面発光パネル２及び光学部材３を各々の辺Ｓを介して複数互いに隣接させて配置すると、面発光パネル２と傾斜面３３とにより囲まれた空間Ｒが形成される。このとき、面発光パネル２同士及び光学部材３同士の間には、隙間Ｇが設けられている。このような隙間Ｇを設けることで、例えば、面発光パネル２の発光に伴う熱によって面発光パネル２や光学部材３が熱膨張したとしても、互いに隣接する面発光パネル２同士及び光学部材３同士が接触するのを防止することができる。
【００１７】
発光モジュール１は、空間Ｒにおいて辺Ｓに沿って設けられ光を出射面３２側に反射する反射材５を更に備える。反射材５は、例えば、平板状に形成された反射板、反射テープ又は反射シートにより構成される。反射材５は、面発光パネル２及び傾斜面３３のいずれにも固定されておらず、面発光パネル２上に載置されている。また、反射材５は、光を拡散する作用も併せ持つ。
【００１８】
図５に示すように、面発光パネル２の発光領域Ｒ１から出射された光は、入射面３１から光学部材３に入射する。このうち、多くの光（破線矢印で示す）は、出射面３２から出射して、発光領域Ｒ１の正面方向に照射される。一方、一部の光（一点鎖線矢印で示す）は、光学部材３の内部を傾斜面３３の方に導光され、傾斜面３３から空間Ｒに出射した後、反射材５で反射されて非発光領域Ｒ２の正面方向に照射される。
【００１９】
上記のように構成された発光モジュール１によれば、傾斜面３３から空間Ｒに出射された光が、反射材５により出射面３２の方に反射及び拡散される。そのため、隙間Ｇの正面方向にも光が出射されるので、隙間Ｇの正面方向が暗部とならず、発光モジュール１を出射面３２側から見たときに均一な光照射面を得ることができる。また、反射材５が、面発光パネル２及び傾斜面３３のいずれにも固定されていないので、面発光パネル２や光学部材３が熱膨張又は熱収縮したとしても、その応力による反射材５の変形を防止することができる。
【００２０】
次に、上記実施形態の変形例に係る発光モジュールについて図６を参照して説明する。発光モジュール１１では、反射材５が、空間Ｒにおいて出射面３２側に配置されている。このようにすることで、出射面３２の近くで反射材５により光が反射されるので、効率良く隙間Ｇの正面方向に光を出射することができる。
【００２１】
次に、上記実施形態の他の変形例に係る発光モジュールについて図７を参照して説明する。発光モジュール１２では、反射材５が、空間Ｒにおいて一方の面発光パネル２又は一方の傾斜面３３に固定されており、図例では、一方の傾斜面３３に固定されている。このとき、反射材５は、一の光学部材３において一の辺Ｓ１に設けられ、一の辺Ｓ１に対峙する辺Ｓ２には設けられていない。反射材５は、辺Ｓ１に沿った端部５１に塗布された接着剤６を介して傾斜面３３に固定されている。
【００２２】
上記のように構成された発光モジュール１２によれば、光学部材３と反射材５とが予め互いに一体化されているので、辺Ｓ１と辺Ｓ２とが互いに隣接するように光学部材３及び面発光パネル２を配置するだけで、発光モジュール１２を構成することができる。これにより、発光モジュール１２の設置が容易になって、作業性を向上させることができる。
【００２３】
次に、上記実施形態の別の変形例に係る発光モジュールについて図８を参照して説明する。発光モジュール１３では、反射材５が、湾曲可能又は屈曲可能な平板状に構成されている。反射材５は、空間Ｒにおいて両方の面発光パネル２又は両方の傾斜面３３に固定されており、図例では、両方の傾斜面３３に接着剤６を介して固定されている。発光モジュール１３によれば、面発光パネル２、光学部材３及び反射材５を互いに一体に構成して作業性を向上しつつ、面発光パネル２や光学部材３が熱膨張又は熱収縮したとしても、そのときの応力を反射材５が湾曲又は屈曲することで吸収することができる。
【００２４】
次に、上記実施形態の更に別の変形例に係る発光モジュールについて図９及び図１０を参照して説明する。発光モジュール１４では、反射材５が、湾曲可能な材料により湾曲されて形成され、図例では、樋状に形成されている。反射材５は、その端部５１が面発光パネル２に接し、且つその外曲面５２が傾斜面３３に接した状態で空間Ｒに配置されている。このようにすることで、面発光パネル２や光学部材３の熱膨張又は熱収縮による応力を、反射材５が湾曲することで吸収することができる。
【００２５】
次に、上記実施形態の更に別の変形例に係る発光モジュールについて図１１及び図１２を参照して説明する。発光モジュール１５では、光学部材３が、出射面３２と傾斜面３３との間に設けられ面発光パネル２に直交する方向に形成された直交面３４を更に有する。また、反射材５は、屈曲可能な材料により屈曲して形成され、図例では、断面視においてＬ字状に形成されている。反射材５は、その端部５１が面発光パネル２に接し、且つその頂部５３が直交面３４に相対するようにして空間Ｒに配置されている。
【００２６】
上記のように構成された発光モジュール１５によれば、光学部材３の内部を傾斜面３３の方に導光されてきた光の直交面３４に対する平均入射角が、同光の傾斜面３３に対する平均入射角に比べて小さくなる。そのため、光が傾斜面３３よりも直交面３４から外部に出射する頻度が高くなり、光学部材３において出射面３２の近くから出射する光を増加させることができる。更に、このような光は、反射材５が直交面３４に相対するように配置されているので、反射材５により効率良く出射面３２の方に反射される。これにより、効率良く隙間Ｇ（不図示）の正面方向に光を出射することができる。
【００２７】
次に、本発明の第２の実施形態に係る発光モジュールについて図１３乃至図１５を参照して説明する。図１３及び図１４に示すように、発光モジュール１６は、上述した発光モジュール１を基に、出射面３２から出射された光の一部を反射する反射部７（図１３においてドットで示す）と、反射部７及び出射面３２を覆うように設けられ光を拡散する拡散透過部材８と、を更に備えたものである。
【００２８】
反射部７は、出射面３２と平行な面状に形成され、図例では、出射面３２に形成されている。反射部７は、出射面３２における発光領域Ｒ１に対応する領域Ｒ３を縁取るように設けられ、非発光領域Ｒ２に対応する領域には設けられていない。反射部７を非発光領域Ｒ２に対応する領域に設けないことで、該領域から出射する光を増加させることができる。
【００２９】
反射部７は、例えば、３０％の平均反射率を有する。なお、ここで言う「３０％の平均反射率を有する」とは、反射部７に達した光のうち３０％の光が反射され、残りの７０％の光が反射部７を透過することを意味する。反射部７は、光を反射する反射性塗料を出射面３２にシルク印刷することで形成されている。反射性塗料は、例えば、硫酸バリウムや酸化チタンにより構成される。
【００３０】
拡散透過部材８は、出射面３２に相対して設けられ透光性材料により構成された透光部８１と、透光部８１の出射面３２と相対した面とは反対側の面に設けられ光を拡散する拡散層８２と、を有する。透光部８１は、出射面３２と略同じ大きさの矩形平板状に形成されている。透光部８１において反射部７と相対する面８１ａと反射部７との間には、隙間Ｃ（図１４参照）が設けられている。拡散層８２は、透光性樹脂に光を拡散する拡散粒子を分散させることで形成されている。拡散粒子は、例えば、酸化チタンにより構成される。
【００３１】
図１５に示すように、面発光パネル２から出射されて反射部７に達した光の多く（破線矢印で示す）は、反射部７を透過して拡散透過部材８に入射した後、拡散層８２で拡散されて発光領域Ｒ１の正面方向に照射される。一方、反射部７に達した光の一部（一点鎖線矢印で示す）は、反射部７で傾斜面３３の方に反射され、傾斜面３３から空間Ｒに出射して反射材５で反射された後、拡散層８２で拡散されて非発光領域Ｒ２の正面方向に照射される。
【００３２】
上記のように、発光モジュール１６によれば、光学部材３の内部を導光される光だけでなく、反射部７で反射された光も反射材５で反射されるので、隙間Ｇの正面方向に照射される光を増加させることができる。また、光が拡散層８２により拡散されてから外部に出射するので、非発光領域Ｒ２の正面方向と発光領域Ｒ１の正面方向との間の輝度差を低減することができる。更に、拡散透過部材８と反射部７との間に隙間Ｃが設けられているので、拡散透過部材８を拡散層８２側から見たときに、反射部７を構成する反射性塗料のドットが目立ち難くなり、発光モジュール１６の見栄えを良くすることができる。
【００３３】
図１６（ａ）乃至（ｃ）に示すように、反射部７は、その単位面積当たりの平均反射率が反射部７の面方向に沿って変化するように構成されていてもよい。平均反射率の変化範囲は、例えば、０〜７０％に設定される。平均反射率の調整は、反射性塗料の出射面３２への印刷密度を変化させることで成される。
【００３４】
図１６（ａ）に示すように、反射部７は、例えば、領域Ｒ３に設けられ、領域Ｒ３において中心部に向かうにつれて平均反射率が高くなるように構成される。図例では、領域Ｒ３を縁取るように平均反射率３０〜０％の領域が設けられ、その内側に平均反射率３０％の領域が設けられている。平均反射率３０〜０％の領域では、反射部７の中心部に向かうにつれて平均反射率が高くなるように構成されている。このように反射部７を構成することで、反射部７の中心部で高度に光が反射されるので、光学部材３において側方に導光される光が増加する。その結果、図１６（ｂ）に示すように、このような光学部材３から出射される光（実線で示す）は、反射部７が設けられていない光学部材３から出射される光（破線で示す）に比べて、より多くの非発光領域Ｒ２の正面方向に出射される光を含むようになる。
【００３５】
一方、図１６（ｃ）に示すように、反射部７は、例えば、領域Ｒ３において中心部に向かうにつれて平均反射率が低くなるように構成されていてもよい。図例では、領域Ｒ３を縁取るように平均反射率５０％の領域が設けられ、反射部７の中心部に向かうにつれて平均反射率４０％、３０％、２０％の領域が順に設けられ、領域Ｒ３の中心部には平均反射率０％の領域が設けられている。このようにすることで、光学部材３の中心部では光は反射されず、領域Ｒ３の周縁部に向かうにつれてより高度に光が反射部７によって反射されるようになる。その結果、図１６（ｄ）に示すように、このような光学部材３から出射される光（実線で示す）は、図１６（ａ）に示した光学部材３から出射される光（破線で示す）に比べて、発光領域Ｒ１の中心部における輝度を高く維持したまま、より多くの非発光領域Ｒ２の正面方向に出射される光を含むようになる。
【００３６】
また、図１６（ｅ）に示すように、反射部７は、例えば、領域Ｒ３を縁取るように平均反射率５０％の領域が設けられ、反射部７の中心部に向かうにつれて平均反射率４０％及び３０％の領域が順に設けられ、領域Ｒ３の中心部には平均反射率２０％の領域が設けられている。その結果、図１６（ｆ）に示すように、このような光学部材３から出射される光（実線で示す）は、図１６（ａ）に示した光学部材３から出射される光（破線で示す）に比べて、より多くの非発光領域Ｒ２の正面方向に出射される光を含むようになる。
【００３７】
次に、上記実施形態の変形例に係る発光モジュールについて図１７を参照して説明する。発光モジュール１７は、上述した発光モジュール１６を基に、反射部７を透光部８１の面８１ａに配置したものである。このようにしても、発光モジュール１６と同等の効果を得ることができる。また、出射面３２が空気層と接することになるので、光学部材３の内部を導光される光が出射面３２において全反射される頻度が増し、光学部材３の側方に導光される光を増加させることができる。
【００３８】
次に、上記実施形態の他の変形例に係る発光モジュールについて図１８を参照して説明する。発光モジュール１８は、上述した発光モジュール１６を基に、拡散透過部材８の形状を変更したものである。発光モジュール１８の拡散透過部材８は、透光部８１の周縁部から面発光パネル２及び光学部材３の外周を覆うように設けられた支持部８３を更に有する。支持部８３は、透光部８１に直交して設けられ、透光部８１と同じ透光性材料又は遮光性材料により構成されている。なお、反射材５は、支持部８３に設けた穴８３ａを通して配設される。
【００３９】
上記のような発光モジュール１８によれば、支持部８３が、面発光パネル２及び光学部材３の外周を覆っているので、面発光パネル２と光学部材３とが互いに位置ずれするのを防止することができる。また、支持部８３を遮光性材料により構成した場合には、面発光パネル２及び光学部材３の側方への光漏れを防止することができる。
【００４０】
次に、上記実施形態の別の変形例に係る発光モジュールについて図１９を参照して説明する。発光モジュール１９は、上述した発光モジュール１８を基に、拡散透過部材８の形状を変更したものである。発光モジュール１９では、支持部８３が透光部８１と同じ透光性材料により構成され、且つ拡散透過部材８の内側面における透光部８１と支持部８３との連結部分８４が曲面状に形成されている。このようにすることで、透光部８１に入射した光と支持部８３に入射した光との間で、連結部分８４を境にして急激に配光が変化するのを防止することができる。
【００４１】
なお、本発明に係る発光モジュールは、上記実施形態及びその変形例に限定されず種々の変形が可能である。例えば、発光モジュール１６乃至１９は、反射材を備えていなくても一応の実施が可能であり、反射材を備えていない形態でも上述したような効果を与えることができる。また、面発光パネルの光源は、必ずしも有機ＥＬ素子に限定されず、例えば、ＬＥＤや蛍光灯であってもよい。また、面発光パネル及び光学部材の形状は、平面視矩形状に限定されず、例えば、三角形状や六角形状であってもよい。また、反射部は、非発光領域に対応する領域に設けられていてもよく、この場合には、該領域において周縁部に向かうにつれて平均反射率が低くなるように構成されることが好ましい。更に、光学部材、反射部及び拡散透過部材を、互いに一体に構成してもよい。
【符号の説明】
【００４２】
１、１１、１２、１３、１４、１５、１６、１７、１８、１９  発光モジュール
２  面発光パネル
２Ａ  発光面
３  光学部材
３１  入射面
３２  出射面
３３  傾斜面
３４  直交面
４  透光性樹脂
５  反射材
７  反射部
８  拡散透過部材
８１ａ  拡散透過部材において出射面に相対する面
Ｒ  面発光パネルと傾斜面とにより囲まれた空間
Ｒ１  発光領域
Ｒ２  非発光領域
Ｒ３  発光領域に対応する領域
Ｓ、Ｓ１、Ｓ２  （面発光パネル及び光学部材の）辺
【図１】
2016054119.tif 000003
【図２】
2016054119.tif 000004
【図３】
2016054119.tif 000005
【図４】
2016054119.tif 000006
【図５】
2016054119.tif 000007
【図６】
2016054119.tif 000008
【図７】
2016054119.tif 000009
【図８】
2016054119.tif 000010
【図９】
2016054119.tif 000011
【図１０】
2016054119.tif 000012
【図１１】
2016054119.tif 000013
【図１２】
2016054119.tif 000014
【図１３】
2016054119.tif 000015
【図１４】
2016054119.tif 000016
【図１５】
2016054119.tif 000017
【図１６】
2016054119.tif 000018
【図１７】
2016054119.tif 000019
【図１８】
2016054119.tif 000020
【図１９】
2016054119.tif 000021